(57)【要約】      （修正有）【課題】容易に設置及び撤去が可能で、且つ開口部からの足の踏み外しや土砂等の落下を好適に防止することのできる簡易式防護柵の提供。【解決手段】開口部５の両側に配置された各壁面部材２，２にそれぞれ固定される支持体１１，１１と、両支持体１１，１１間に架け渡される棒状の横材１２，１２と、開口部５下端を閉鎖するように配置される上下に幅のある帯状の幅板材１３とを備える。さらに、各支持体１１に壁面部材２の表面側又は裏面側に上下方向に向けて配置される棒状の縦材１４と、縦材１４の上端を壁面部材２の上端部に着脱可能に固定させる取付具１５と、縦材１４に横材１２の端部を着脱可能に固定させる横材支持手段２３と、縦材１４に幅板材１３の端部を着脱可能に固定させる幅板材支持手段２４とを備えて簡易式防護柵１０を形成する。【選択図】図１
0003180891.tif 000002
【実用新案登録請求の範囲】
【請求項１】
開口部の両側に配置された各壁面部材にそれぞれ取付けられる支持体と、該両支持体間に架け渡されるように設置される棒状の横材とを備え、該横材が前記開口部を横切るように配置できるようにしてなる簡易式防護柵において、
前記開口部下端を閉鎖するように配置される上下に幅のある帯状の幅板材を備えるとともに、
前記各支持体に前記壁面部材の表面側又は裏面側に上下方向に向けて配置される棒状の縦材と、該縦材の上端を前記壁面部材の上端部に着脱可能に固定させる取付具と、前記縦材に前記横材を着脱可能に支持させる横材支持手段と、前記縦材に前記幅板材を着脱可能に支持させる幅板材支持手段とを備えたことを特徴としてなる簡易式防護柵。
【請求項２】
前記取付具は、前記縦材の上端より水平方向に延出した形状の水平材と、該水平材の縦材とは反対側の端部より下向きに延出した形状の下向延出材とをもって鉤状に形成され、前記水平材を前記壁面部材の上端部に支持させるとともに前記縦材と前記下向延出材との間に前記壁面部材を挟み込むようにしてなる請求項１に記載の簡易式防護柵。
【請求項３】
前記縦材又は前記下向延出材の前記壁面部材の裏面側に配置される何れか一方に、前記縦材又は前記下向延出材に支持されて進退可能に前記壁面部材に当接する把持力調節具を備えてなる請求項２に記載の簡易式防護柵。
【請求項４】
前記横材支持手段は、前記横材の外側に互いに相対移動可能に嵌合された可動嵌合部材を備え、前記横材の前記両支持体間に架け渡される部分の長さを調節できるようにしてなる請求項１、２又は３に記載の簡易式防護柵。
【考案の詳細な説明】
【技術分野】
【０００１】
本考案は、主に補強土壁工法において安全に作業する為の防護柵であって、着脱が容易な簡易式防護柵に関する。
【背景技術】
【０００２】
従来、都市部や山岳部等の用地確保の困難な場所において鉛直状壁面を有する土留め構造物を構築する工法としてテールアルメ工法等の補強土壁工法が広く採用されている。
【０００３】
この補強土壁工法（テールアルメ工法）は、図１１、図１２に示すように、土台１上に複数のコンクリート製の壁面部材２，２...（コンクリートスキン）を互いに隣り合う壁面部材２，２...同士が段違い配置となるように建て込むことにより壁面部を段階的に構築しつつ、その裏面側に各壁面部材２，２...の裏面部に一端を固定させたストリップと呼ばれる帯鋼補強材３，３...を敷設するとともに盛り土４を行う作業を繰り返し、盛り土４内に層状に敷設された複数の帯鋼補強材３，３...と盛り土４との摩擦力による引抜抵抗力で土留効果を発揮させるようになっている。尚、図中符号２ａは壁面部材２の表面、符号２ｂは壁面部材２の裏面を示している。
【０００４】
このような補強土壁工法にあっては、複数のコンクリート製の壁面部材２，２...（コンクリートスキン）を互いに隣り合う壁面部材２，２...同士が段違い配置となるように建て込み壁面部を段階的に構築するため、各段階で上端部に位置する各壁面部材２，２...間に開口部５が形成されるようになっている。
【０００５】
一方、各段階において建て込んだ壁面部材２，２...の裏面２ｂ側に盛土材を埋め立てる際には、壁面部材２，２...の高さ及び各帯鋼補強材３，３の敷設位置に合わせて盛り土を複数回に分けて行うことから、各段階の盛り土高さ位置を開口部５の下縁の位置と略同じ高さ位置とすることが作業効率上最も好ましく、また、開口部５の下縁と盛り土４の上端面の位置とを略同じ高さ位置とすることにより、帯鋼補強材３，３...上に十分な土被りを確保することができるので壁面部材２，２...の安定性も向上する。
【０００６】
しかしながら、上述の如く、開口部５の下縁と同じ高さ位置まで盛り土を行い、開口部５の下縁と盛り土４の上面とに段差が無い状態とすると、遮るものがない為に開口部５より作業員が足を踏み外す危険性や材料、道具類等が開口部５より落下するおそれが生じ、特に、この壁面部材２と盛り土部４との境界部分では、新たに建て込む壁面部材２の誘導や盛り土の締め固め作業等、作業員による作業も多いことから、作業員等の安全確保が求められていた。
【０００７】
そこで、従来では、作業員等の安全性を確保するために壁面部と盛り土部との境界部分の盛り土高さを低めに設定し、意図的に開口部５下縁と盛り土４上面との間に段差を設けたり、開口部５に防護柵を設けたりすることにより対応していた（例えば、特許文献１を参照）。
【先行技術文献】
【特許文献】
【０００８】
【特許文献１】特開２００７―３１４９６０号公報
【考案の概要】
【考案が解決しようとする課題】
【０００９】
しかしながら、上述の如き従来の技術では、作業員の安全を優先して壁面部との境界部分における盛り土高さを低めに設定し、意図的に開口部下縁と盛り土上面との間に段差を設けると、後に別途その部分の埋め戻しや締め固め作業を行わなければならず、作業効率を犠牲にせざるを得ないという問題があった。
【００１０】
その一方で、近年では、作業現場における作業員等の安全確保の要請が更に高まっており、作業員の安全確保や材料、道具類の落下防止に対する積極的な対応が求められている。
【００１１】
また、防護柵を設置する場合においては、開口部に新たな壁面部材を建て込む際等の作業員が壁面部に近づいて作業を行う場合に、防護柵が邪魔となって作業を阻害するおそれがあり、肝心な作業の際に防護柵を取り外さなければならない事態も生じるおそれがあった。
【００１２】
一方、この様な防護柵は、作業性の観点から組み立てた状態のままでも人力によって移動できることが好ましく、そのため、安全性を確保した上で更なる軽量化が望まれている。
【００１３】
また、壁面部材に固定され部材に鉄筋等の棒状の横材の端部を溶接等により固定し、部材間に横材を架設させるようにした構造の防護柵にあっては、溶接後は横材を容易に取り外すことができないため、防護柵が嵩張り、防護柵の設置・撤去作業が非常に煩雑になるという問題があった。
【００１４】
そこで、本考案は、このような従来の問題に鑑み、容易に設置及び撤去が可能で、且つ開口部からの足の踏み外しや土砂等の落下を好適に防止することのできる簡易式防護柵の提供を目的としてなされたものである。
【課題を解決するための手段】
【００１５】
本考案に係る請求項1に記載の考案の特徴は、開口部の両側に配置された各壁面部材にそれぞれ固定される支持体と、両端をそれぞれ前記各支持体に着脱可能に支持させて該両支持体間に架け渡される棒状の横材とを備え、該横材が前記開口部を横切るように設置されるようにしてなる簡易式防護柵において、前記開口部下端を閉鎖するように配置される上下に幅のある帯状の幅板材を備えるとともに、前記各支持体に前記壁面部材の表面側又は裏面側に上下方向に向けて配置される棒状の縦材と、該縦材の上端を前記壁面部材の上端部に着脱可能に固定させる取付具と、前記縦材に前記横材の端部を着脱可能に固定させる横材支持手段と、前記縦材に前記幅板材端部を着脱可能に固定させる幅板材支持手段とを備えたことにある。
【００１６】
請求項２に記載の考案の特徴は、請求項１の構成に加え、前記取付具は、前記縦材の上端より水平方向に延出した形状の水平材と、該水平材の縦材とは反対側の端部より下向きに延出した形状の下向延出材とをもって鉤状に形成され、前記水平材を前記壁面部材の上端部に支持させるとともに前記縦材と前記下向延出材との間に前記壁面部材を挟み込むようにしてなることにある。
【００１７】
請求項３に記載の考案の特徴は、請求項２の構成に加え、前記縦材又は前記下向延出材の前記壁面部材の裏面側に配置される何れか一方に、前記縦材又は前記下向延出材に支持されて進退可能に前記壁面部材に当接する把持力調節具を備えてなることにある。
【００１８】
請求項４に記載の考案の特徴は、請求項１、２又は３の構成に加え、前記横材支持手段は、前記横材の外側に互いに相対移動可能に嵌合された可動嵌合部材を備え、前記横材の前記両支持体間に架け渡される部分の長さを調節できるようにしてなることにある。
【考案の効果】
【００１９】
本考案に係る簡易式防護柵においては、開口部の両側に配置された各壁面部材にそれぞれ固定される支持体と、両端をそれぞれ前記各支持体に着脱可能に支持させて該両支持体間に架け渡される棒状の横材とを備え、該横材が前記開口部を横切るように設置されるようにしてなる簡易式防護柵において、前記開口部下端を閉鎖するように配置される上下に幅のある帯状の幅板材を備えることにより、作業性等を鑑み開口部の下縁と同じ高さ位置まで盛り土を行い、開口部の下縁と盛り土の上面とに段差が無い状態とした場合であっても、開口部からの作業員の足の踏み外しや材料、道具類等の落下を好適に防止することができ、また、それに伴い横材及び幅板材を壁面部材の表面側に設置した場合でも作業員の安全を確保することができるので、壁面部近傍の作業も安全且つ安心して行え、開口部への壁面部材の設置作業等において防護柵が邪魔にならないように設置することも可能となる。
【００２０】
更に、前記各支持体に前記壁面部材の表面側又は裏面側に上下方向に向けて配置される棒状の縦材と、該縦材の上端を前記壁面部材の上端部に着脱可能に固定させる取付具と、前記縦材に前記横材の端部を着脱可能に固定させる横材支持手段と、前記縦材に前記幅板材端部を着脱可能に固定させる幅板材支持手段とを備えたことにより、支持体の取付けにより横材及び幅板材を所望の位置に設置でき、且つ、防護柵の組立て・解体作業を容易に行え、作業効率の向上を図ることができる。
【００２１】
また、本考案において、前記取付具は、前記縦材の上端より水平方向に延出した形状の水平材と、該水平材の縦材とは反対側の端部より下向きに延出した形状の下向延出材とをもって鉤状に形成され、前記水平材を前記壁面部材の上端部に支持させるとともに前記縦材と前記下向延出材との間に前記壁面部材を挟み込むようにしたことにより、簡易な構造で容易に支持体を壁面部材に取り付けることができる。
【００２２】
更に、本考案において、前記縦材又は前記下向延出材の前記壁面部材の裏面側に配置される何れか一方に、前記縦材又は前記下向延出材に支持されて進退可能に前記壁面部材に当接する把持力調節具を備えてなることにより、支持体を安定した状態で壁面部材に取り付けることができる。
【００２３】
更にまた、本考案において、前記横材支持手段は、前記横材の外側に互いに相対移動可能に嵌合された可動嵌合部材を備え、前記横材の前記両支持体間に架け渡される部分の長さを調節できるようにしてなることにより、様々な開口部幅に合わせてそこを横切る横材の長さを調節できる。
【図面の簡単な説明】
【００２４】
【図１】本発明に係る簡易式防護柵の使用状態の一例を示す正面図である。
【図２】同上の縦断面図である。
【図３】図２中の支持体の一例を示す側面図である。
【図４】支持体の他の一例を示す側面図である。
【図５】同上の支持体の横材支持手段部分を示す拡大平面図である。
【図６】図１中の横材端部を示す部分拡大正面図である。
【図７】同上の幅板材端部を示す部分拡大正面図である。
【図８】（ａ）は本発明に係る簡易式防護柵の他の一例の使用状態を示す平面図、（ｂ）は同背面図である。
【図９】同上の支持体取り付け部分の拡大縦断面図である。
【図１０】図８中の支持体を示す平面図である。
【図１１】補強土壁工法により構築された壁面部の一例を示す正面図である。
【図１２】同上の縦断面図である。
【考案を実施するための形態】
【００２５】
次に、本考案に係る簡易式防護柵の実施の形態を図１〜図７に示した実施例に基づいて説明する。尚、図中符号１０は簡易式防護柵であり、また、上述の従来例と同様の構成には同一符号を付して説明し、図中符号２は壁面部材（コンクリートスキン）、符号３は帯鋼補強材（ストリップ）、符号４は盛り土である。
【００２６】
簡易式防護柵１０は、複数のコンクリート製の壁面部材２，２...（コンクリートスキン）を互いに隣り合う壁面部材２，２...同士が段違い配置となるように建て込むことにより壁面部を段階的に構築する場合に、各段階において上端部の壁面部材２，２間に形成される開口部５に設置されるものであって、開口部５の両側に配置された各壁面部材２，２...にそれぞれ固定される支持体１１，１１と、両端をそれぞれ各支持体１１，１１に着脱可能に支持させて両支持体１１，１１間に架け渡される棒状の横材１２，１２とを備え、横材１２，１２が開口部５を横切るように設置されるようにし、開口部５からの作業員の墜落等を防止するようになっている。尚、図中符号２ａは壁面部材２ａの表面、符号２ｂは壁面部材２の裏面を示し、壁面部材２の裏面２ｂ側に盛り土４がされている。
【００２７】
また、この簡易式防護柵１０は、開口部５下端を閉鎖するように配置される上下に幅のある帯状の幅板材１３を備え、開口部５より材料や道具類が落下したり、作業員が足を踏み外して墜落したりするのを防止するようになっている。
【００２８】
支持体１１，１１は、丸鋼等を曲げ加工することにより形成され、図３に示すように、壁面部材２，２...の表面側又は裏面側に上下方向に向けて配置される棒状の縦材１４と、縦材１４の上端を壁面部材２，２...の上端部に着脱可能に固定させる取付具１５とを一体に備えている。
【００２９】
取付具１５は、例えば、縦材１４の上端より水平方向に延出した形状の水平材１６と、水平材１６の縦材１４とは反対側の端部より下向きに延出した形状の下向延出材１７とをもって鉤状に形成され、水平材１６を壁面部材２，２...の上端面部に支持させるとともに縦材１４と下向延出材１７との間に壁面部材２，２...の上端部を挟み込むようにすることにより、縦材１４を壁面部材２，２...の上端部に着脱可能に固定するようになっている。
【００３０】
尚、壁面部材２，２...の裏面側、即ち盛り土４側に配置される下向延出材１７には、下向延出材１７に支持されて進退可能に壁面部材２，２...に当接する把持力調節具１８を備えることが好ましい。
【００３１】
この把持力調節具１８は、下向延出材１７の側面部に孔軸方向を下向延出材１７の長手方向と直交する方向に向けて固定されたナット状の支持部１９と、支持部１９と螺合されるボルト部２０と、ボルト部２０の先端に固定された押圧部２１とを備え、ボルト部２０の他端に一体に形成された操作レバー２２を回動させ、ボルト部２０を支持部１９に対し進退させることにより、押圧部２１が下向延出材１７と直交する方向で進退するようになっている。
【００３２】
尚、押圧部２１の表面にはゴム等の弾性材からなる図示しない押圧パッドが固定されている。
【００３３】
また、図示しないが、縦材１４、水平材１６及び下向延出材１７は、その壁面部材２，２...と接触する部分をゴム材等で被覆するなどして壁面部材２，２...との間に緩衝材を介在させることが好ましい。
【００３４】
また、各支持体１１，１１には、縦材１４にその長手方向に間隔を置いて１又は複数の横材支持手段２３，２３を備えるとともに、縦材１４の下端部に１又は複数の幅板材支持手段２４を備え、各横材１２，１２及び幅板材１３の端部がそれぞれ縦材１４に固定できるようになっている。
【００３５】
横材支持手段２３，２３は、支持体１１を壁面部材２に取り付けた際に、支持体１１に支持された横材１２ａ，１２ｂが開口部５を横切る配置となるように縦材１４に突設され、具体的には、支持体１１を壁面部材２に取り付けた際に、上段の横材１２が手摺材として機能し、下段の横材１２が中さん材として機能する位置にそれぞれ取り付けられるようになっている。
【００３６】
また、幅板材支持手段２４は、支持体１１を壁面部材２に取り付けた際に、支持体１１に支持された幅板材１３が開口部５の下端を閉鎖する位置に配置されるように突設されている。
【００３７】
横材支持手段２３，２３及び幅板材支持手段２４は、例えば、縦材１４表面に対し鉛直方向に向けて突設されたボルト部材２５と、ボルト部材２５に螺合される蝶ナット部材２６とをもって構成し、横材１２，１２及び幅板材１３の端部に形成された固定用孔２７にボルト部材２５を通し、その状態で横材１２，１２及び幅板材１３の外側より蝶ナット部材２６を締め込むことにより特別な道具を用いずに容易に横材１２，１２及び幅板材１３の端部を縦材１４に固定できるようになっている。
【００３８】
また、蝶ナット部材２６を緩めることにより横材１２，１２及び幅板材１３の端部を縦材１４より特別な道具を使用せずとも容易に離脱させることができるようになっている。
【００３９】
尚、横材支持手段２３，２３及び幅板材支持手段２４は、上述の如きボルト部材２５及び蝶ナット部材２６により構成されたものに限定されず、縦材１４に突設された棒状部材と、当該棒状部材の先端部に形成されたピン孔に挿入されるピン部材とをもって構成し、横材１２，１２及び幅板材１３の端部に形成された固定用孔２７に棒状部材を通し、その状態で横材１２，１２及び幅板材１３の外側でピン部材をピン孔に挿入し、ピン部材により横材１２，１２又は幅板材１３の離脱を規制するようにした構造であってもよく、また、縦材１４に突設された棒状部材の先端側に一端側に重心が偏った形状の回動ピンを回動自在に支持させた所謂グラビティロック構造であってもよい。
【００４０】
更には、横材支持手段２３は、図４、図５に示すように、横材１２の外側に互いに相対移動可能に嵌合される可動嵌合部材５０を備え、この可動嵌合部材５０を互いに間隔を置いて配置された支持体１１，１１の何れか一方又は双方に備えることにより、横材１２の両支持体１１，１１間に架け渡される部分の長さを調節できるようにしてもよい。
【００４１】
この可動嵌合部材５０は、円筒状に形成され、その筒軸方向を取付具１３の回動方向と交差する方向に向けて縦材１４に固定され、この筒状内径部５０ａに横材１２が挿し込まれるようになっている。
【００４２】
横材１２，１２は、ステンレス鋼等の軽量、且つ防護柵としての強度を兼ね備えた材質により形成し、両端にそれぞれ平板状に形成された固定板部２８，２８が一体に形成され、固定板部２８，２８の中央部分に固定用孔２７が形成されている。
【００４３】
尚、この横材１２には、組立足場に使用される汎用の筋交い部材を転用することが可能で、その場合、リースにて対応することによりコストの削減を図れ、また、使用後は返却することにより保管場所を確保する必要が無く、作業現場の整理整頓の面で優位である。
【００４４】
幅板材１３は、ステンレス鋼等の軽量、且つ防護柵としての強度を兼ね備えた材質により上下に幅のある帯状に形成され、その長手方向両端部に固定用孔２７が形成されている。
【００４５】
この幅板材１３の上下幅は、作業上の取り扱い性と、作業員の安全性及び材料・道具類の脱落防止の観点を鑑みて決定される。
【００４６】
また、幅板材１３の上下幅を下段側横材１２ｂの位置、即ち中さんの位置まであるものとすることにより、横材１２，１２の内、下段側の横材１２を省いても高い安全性を確保できる。
【００４７】
このように構成された簡易式防護柵１０は、支持体１１，１１を容易に壁面部材２，２...の上端部に固定することができ、また、横材１２，１２及び幅板材１３を容易に支持体１１，１１に着脱でき、容易に防護柵の組立て、解体が可能なので作業を効率よく行うことができる。
【００４８】
また、この簡易式防護柵１０では、支持材１１，１１、横材１２，１２及び幅板材１３がそれぞれ軽量、且つ防護柵用の部材としての強度を兼ね備え、防護柵１０全体の重量が従来技術に比して軽量化されているので、組み立てた状態のままであっても人力で容易に移動させることができ、安全性を確保した上で作業を効率よく行えるようになっている。
【００４９】
更に、横材１２，１２等が開口部５の上面側に干渉しないので、簡易式防護柵１０を取り付けたまま開口部５に新たな壁面部材２，２...を設置することが可能であり、その作業を安全に行うことができる。
【００５０】
更にまた、この簡易式防護柵１０は、開口部５の下端を閉鎖するように幅板材１３を備えたことにより、開口部５の下縁と同じ高さ位置まで盛り土４を行い、開口部５の下縁と盛り土４の上面とに段差が無い状態とした場合であっても、作業員の足が幅板材１３に当て止めされてそれ以上外側にはみ出ることが無く、また、材料や道具類の開口部５からの落下を防止することができるようになっている。
【００５１】
従って、壁面部材２の寸法及び鋼帯部材（ストリップ）３，３...の敷設位置等を鑑み、盛り土４を開口部５の下縁と同じ高さ位置まで行い、補強土壁工法（テールアルメ工法）における作業効率を優先しても、横材１２及び幅板材１３により壁面部と盛り土部分との境界部分における作業員の高い安全性を確保することができる。
【００５２】
更に、開口部５の下端を閉鎖するように幅板材１３を備えたことにより安全が確保されるので、縦材１４を壁面部材２，２...の表面側に配置させた状態で簡易式防護柵１０を設置することが可能であり、このように簡易式防護柵１０が縦材１４を壁面部材２，２...の表面側に配置させた状態で設置されると、上段の壁面部を構成する壁面部材２を開口部５へ嵌め込む際に、防護柵が作業の邪魔にならず作業効率がよい。
【００５３】
尚、上述の実施例では、縦材１４が壁面部材２の表面側に配置されるように支持体１１を取り付けた場合について説明したが、縦材１４が壁面部材２の裏面側、即ち、盛り土４側に配置されるように支持体１１を取り付けるようにしてもよい。その場合、把持力調節用具１８は、縦材１４に備えられ、縦材１４に支持されて進退するようになっている。
【００５４】
また、上述の実施例では、取付具１５を水平材１６及び下向延出材１７からなる鉤状に形成した例について説明したが、取付具１５の形状及び構造はこのような態様に限定されず、縦材１４の上端を壁面部材２の上端部に着脱可能に取り付けられる形状及び構造であればよく、支持体３１は、例えば、図８〜図１０に示すように、壁面部材２の上端面部に形成されたアンカー部材７及び凹部８からなる吊り具連結部６と互いに係合する取付具３３を備えたものであってもよい。尚、上述の実施例と同様の構成には同一符号を付して説明する。
【００５５】
この吊り具連結部６は、上端部に外向きに張り出した形状の拡大頭部７ｂを有する棒状のアンカー部材７を備え、アンカー部材７の一端側を壁面部材２に埋設するとともに、拡大頭部７ｂが形成された一端側を壁面部材２の上端面部に開口した半円球状の凹部８の底部より突出させ、拡大頭部７ｂが凹部８に挿入された吊り具と互いに係合されるようになっている。
【００５６】
拡大頭部７ｂは、例えば、棒状の本体部７ａの外径より直径の大きな円盤状に形成され、当該円盤状の外周部が本体部７ａの外周面より外側に張り出すようになっている。尚、拡大頭部７ｂの形状は、円盤状に限定されず、半円球状、小判型状等であってもよい。
【００５７】
取付具３３は、アンカー部材７が挿通される係合溝部３４を備えるとともに、壁面部材２の上端部に形成された凹部８内に嵌り込む半円球椀状に鋼材をもって形成され、拡大頭部７ｂが係合溝部１５の周縁部と互いに係合する位置と、係合状態が解除される位置との間で移動できるような形状になっている。
【００５８】
係合溝部３４は、一端が椀状の外縁に開口し、他端が椀状の底部に配置されてなるスリット溝状に形成され、この係合溝部３４にアンカー部材７を挿通させ、取付具３３を係合溝部３４をアンカー部材７にガイドさせつつ凹部８内で回動させることにより拡大頭部７ｂが凹部底部で係合溝部３４の底側端周縁部と互いに係合するようになっている。
【００５９】
取付具３３の係合溝部３４とは反対側の外縁部には、縦材１４の上端より水平方向に折り曲げられた水平材が溶接等により固定され、それにより取付具３３を吊り具連結部６に係合させることにより縦材１４が壁面部材２の裏面側に上下方向に向けて配置されるようになっている。
【００６０】
このように構成された簡易式防護柵３０は、取付具３３を凹部８に壁面部材２の上端面部裏面側より挿し込むとともに係合溝部３４の周縁側端部開口よりアンカー部材本体部７ａを挿通させ、その状態で取付具３３をアンカー部材７にガイドさせつつ支持体３１を回動させることにより、係合溝部３４の底部側端内縁３４ａがアンカー部材本体部７ａに当て止されるとともに、当該係合溝部３４の底部側端周縁部がアンカー部材７の拡大頭部７ｂと互いに係合し、支持体３１が壁面部材２に取り付けられる。
【００６１】
そして、各支持体３１，３１に横材１２，１２及び幅板材１３の端部を横材支持手段２３，２３及び幅板材支持手段２４を介して取り付けることにより、各横材１２，１２が開口部５を横切るように配置されるとともに、開口部５の下端部が幅板材１３により閉鎖されるようになっている。
【００６２】
このように取り付けられた簡易式防護柵３０は、横材１２，１２及び幅板材１３に壁面部材２の裏面側より表面側に向けて力が作用すると、縦材１４を介して取付具３３に図９中矢印方向の曲げモーメントが作用する、これに対し取付具３３がアンカー部材７に反力をとって対抗し、即ち、取付具３３の係合溝３４の端部内側縁３４ａがアンカー部材７本体部に、係合溝部３４の底部側端開口縁部が拡大頭部７ｂにそれぞれ反力をとって対抗するようになっている。
【００６３】
一方、取り外す際には、支持体を３１を取り付けの際とは反対方向に回動させることにより壁面部材２より容易に取り外すことができる。
【符号の説明】
【００６４】
１  土台
２  壁面部材
３  帯鋼補強材（ストリップ）
４  盛り土
５  開口部
１０  簡易式防護柵
１１  支持体
１２  横材
１３  幅板材
１４  縦材
１５  取付具
１６  水平材
１７  下向延出材
１８  把持力調節具
１９  支持部
２０  ボルト部
２１  押圧部
２２  操作レバー
２３  横材支持手段
２４  幅板材支持手段
２５  ボルト部材
２６  蝶ナット部材
２７  固定用孔
２８  固定板部
３０  簡易式防護柵
３１  支持体
３３  取付具
３４  係合溝部
５０  可動嵌合部材
【図１】
0003180891.tif 000003
【図２】
0003180891.tif 000004
【図３】
0003180891.tif 000005
【図４】
0003180891.tif 000006
【図５】
0003180891.tif 000007
【図６】
0003180891.tif 000008
【図７】
0003180891.tif 000009
【図８】
0003180891.tif 000010
【図９】
0003180891.tif 000011
【図１０】
0003180891.tif 000012
【図１１】
0003180891.tif 000013
【図１２】
0003180891.tif 000014